(57)【要約】【課題】重りを内蔵する黒鍵カバーを安価に製造でき、また、重りを黒鍵カバー本体内に安定して保持した状態で、黒鍵カバーを鍵本体にしっかりと取り付けることができる鍵盤楽器の黒鍵および黒鍵カバーの製造方法を提供する。【解決手段】前後方向に延びる揺動自在の鍵本体２と、下方に開放する中空状に形成され、鍵本体２の上面の前部にこれを覆うように取り付けられた黒鍵カバー本体１１と、黒鍵カバー本体に収１１容され、鍵本体２に重さを付与する重り３と、を備え、黒鍵カバー本体１１は、左右の側壁１１ａ、１１ａの少なくとも一方の下部から内方に突出し、重り３を下方から係止するとともに、下面が鍵本体２に接着された下壁１２、１２を有している。【選択図】図２
2008268654.tif 000002
【特許請求の範囲】
【請求項１】
前後方向に延びる揺動自在の鍵本体と、
下方に開放する中空状に形成され、前記鍵本体の上面の前部にこれを覆うように取り付けられた黒鍵カバー本体と、
この黒鍵カバー本体に収容され、前記鍵本体に重さを付与する重りと、を備え、
前記黒鍵カバー本体は、左右の側壁の少なくとも一方の下部から内方に突出し、前記重りを下方から係止するとともに、下面が前記鍵本体に接着された下壁を有していることを特徴とする鍵盤楽器の黒鍵。
【請求項２】
前記下壁は、互いに対向する左右の壁部を有しており、
当該左右の壁部の互いに対向する面が、前記重りに向かって互いに接近するテーパ状に形成されていることを特徴とする請求項１に記載の鍵盤楽器の黒鍵。
【請求項３】
所定の幅を有する棒状の重りを準備する重り準備工程と、
水平なベースと、このベース上にこれに沿って設けられ、前記重りの幅よりも小さな幅を有する台座とを一体に有する下型、および下方に開放し、成形すべき黒鍵カバーに対して相補的なキャビティを有する上型を準備する金型準備工程と、
前記重りを、前記台座の上にこれに沿ってセットする重りセット工程と、
前記台座および前記重りを前記キャビティに収容するように、前記上型を前記下型に重ね合わせるとともに、前記キャビティに供給された合成樹脂によって、黒鍵カバーを前記重りとともにインサート成形する黒鍵カバー成形工程と、
を備えていることを特徴とする鍵盤楽器の黒鍵カバーの製造方法。
【請求項４】
棒状の重りを準備する重り準備工程と、
水平なベースと、このベース上に設けられ、前記ベースに沿うようにセットされたときの前記重りと前記ベースとの間にスペースを画成するための台座とを一体に有する下型、および、下方に開放し、成形すべき黒鍵カバーに対して相補的なキャビティを有する上型を準備する金型準備工程と、
前記重りを、前記ベースに沿うように、前記台座の上にセットする重りセット工程と、
前記台座および前記重りを前記キャビティに収容するように、前記上型を前記下型に重ね合わせるとともに、前記キャビティに供給された合成樹脂によって、黒鍵カバーを前記重りとともにインサート成形する黒鍵カバー成形工程と、
を備えていることを特徴とする鍵盤楽器の黒鍵カバーの製造方法。
【請求項５】
前記黒鍵カバー成形工程は、
前記黒鍵カバー本体の原料としての粉状の前記合成樹脂を、前記ベース上の前記台座および当該台座にセットされた前記重りを覆うように供給する原料供給工程と、
前記台座および前記重りを前記キャビティに収容するように、前記上型を前記下型に重ね合わせ、当該キャビティ内の合成樹脂を加圧および加熱することによって、前記黒鍵カバーを成形する加圧・加熱工程と、
を有していることを特徴とする請求項３または４に記載の鍵盤楽器の黒鍵カバーの製造方法。
【請求項６】
前記台座は、前記セットされる重りに係合し、当該重りを所定位置に位置決めする位置決め部を有することを特徴とする請求項３ないし５のいずれかに記載の鍵盤楽器の黒鍵カバーの製造方法。
【請求項７】
前記重りの下面には、凸部および凹部の一方から成る係合部が設けられ、
前記位置決め部は、前記係合部に係合する凸部および凹部の他方で構成されていることを特徴とする請求項６に記載の鍵盤楽器の黒鍵カバーの製造方法。
【請求項８】
前記台座は、磁石で構成され、
前記重りは、前記台座に吸着される磁性材料で構成されていることを特徴とする請求項３ないし７のいずれかに記載の鍵盤楽器の黒鍵カバーの製造方法。
【発明の詳細な説明】
【技術分野】
【０００１】
本発明は、ピアノなどの鍵盤楽器の黒鍵に関し、特に所望のタッチ重さを得るために、重りを黒鍵カバーに内蔵する黒鍵、および黒鍵カバーの製造方法に関する。
【背景技術】
【０００２】
従来、この種の黒鍵として、特許文献１に開示されたものが知られている。この黒鍵は、断面矩形の細長い木製の鍵本体と、その上面の前部に取り付けられた黒鍵カバーを備えており、この黒鍵カバーが、黒鍵カバー本体と、その内部に収容された重りで構成されている。鍵本体は、その中央部において、バランスピンに揺動自在に支持されている。黒鍵カバー本体は、フェノールなどの合成樹脂の成形品から成り、下方に開放する中空状に形成され、断面台形の中空部を有している。また、重りは、黒鍵カバー本体の中空部と相補的な形状を有し、この中空部にはめ込まれるようになっている。
【０００３】
以上のように構成された黒鍵を組み立てる場合には、まず、重りを黒鍵カバー本体の中空部にはめ込み、接着する。その後、その黒鍵カバーを、鍵本体の上面の前部に接着し、黒鍵の組み立てが完了する。この場合、鍵本体に対する黒鍵カバーの良好な接着を確保するために、重りを黒鍵カバー本体の下面から浮いた状態に取り付け、その後、黒鍵カバー本体の下面を切削し、平滑にすることが好ましい。
【０００４】
この黒鍵では、黒鍵カバー本体および重りをそれぞれ別個に作製し、重りを黒鍵カバー本体の中空部にはめ込み、接着する工程が必要であるため、黒鍵カバーの製造コストが高くなってしまう。また、上述したように、重りが黒鍵カバー本体の下面から浮いた状態に取り付けられた場合には、黒鍵カバーは、黒鍵カバー本体の下面だけで鍵本体に接着されることになるため、接着面積が少なくなる。その結果、黒鍵カバーが良好に接着されていないときには、黒鍵カバーが鍵本体から外れるおそれがある。また、上記の場合、接着不良などによって、重りが黒鍵カバー本体から外れると、押鍵時に、重りが黒鍵カバー本体内でがたつき、雑音が生じてしまう。
【０００５】
本発明は、以上のような課題を解決するためになされたものであり、重りを内蔵する黒鍵カバーを安価に製造でき、また、重りを黒鍵カバー本体内に安定して保持した状態で、黒鍵カバーを鍵本体にしっかりと取り付けることができる鍵盤楽器の黒鍵および黒鍵カバーの製造方法を提供することを目的とする。
【０００６】
【特許文献１】特開２００１−１４７６８６号公報
【発明の開示】
【課題を解決するための手段】
【０００７】
上記の目的を達成するために、請求項１に係る発明は、前後方向に延びる揺動自在の鍵本体と、下方に開放する中空状に形成され、鍵本体の上面の前部にこれを覆うように取り付けられた黒鍵カバー本体と、この黒鍵カバー本体に収容され、鍵本体に重さを付与する重りと、を備え、黒鍵カバー本体は、左右の側壁の少なくとも一方の下部から内方に突出し、重りを下方から係止するとともに、下面が鍵本体に接着された下壁を有していることを特徴とする。
【０００８】
この構成によれば、下方に開放する中空状の黒鍵カバー本体が、鍵本体に重さを付与する重りを収容しており、鍵本体の上面の前部にこれを覆うように取り付けられている。また、黒鍵カバー本体は、左右の側壁の少なくとも一方の下部から内方に突出する下壁を有しており、この下壁により、重りが下方から係止されている。これにより、黒鍵カバー本体内の重りは、安定して保持され、押鍵時に、黒鍵カバー本体内でがたつくことがない。また、黒鍵カバー本体の下壁は、内方に突出することで、その下面の面積が比較的大きく、鍵本体との接着面積が大きくなる。加えて、黒鍵カバー本体内の重りが、下壁よりも上側に位置するので、下壁の下面を平滑にするための切削を確保することができる。以上により、黒鍵カバー本体を鍵本体に良好に接着でき、しっかりと取り付けることができる。さらに、黒鍵カバー本体内に重りを収容する黒鍵カバーは、後述するインサート成形によって、黒鍵カバー本体と重りを一体に成形することが可能であり、それにより、黒鍵カバー本体と重りを別個に作製し、重りを黒鍵カバー本体内にはめ込み、接着する工程が必要な従来に比べて、安価に製造することができる。
【０００９】
請求項２に係る発明は、請求項１に記載の鍵盤楽器の黒鍵において、下壁は、互いに対向する左右の壁部を有しており、左右の壁部の互いに対向する面が、重りに向かって互いに接近するテーパ状に形成されていることを特徴とする。
【００１０】
この構成によれば、下壁の左右の壁部の互いに対向する面が、重りに向かって互いに接近するテーパ状に形成されている。換言すると、上記の互いに対向する面が、外方に向かって互いに広がるテーパ状に形成されている。このため、黒鍵カバーを、後述するインサート成形により、金型を用いて成形する場合、その黒鍵カバーを金型から容易に取り外すことができる。
【００１１】
請求項３に係る発明は、所定の幅を有する棒状の重りを準備する重り準備工程と、水平なベースと、このベース上にこれに沿って設けられ、重りの幅よりも小さな幅を有する台座とを一体に有する下型、および下方に開放し、成形すべき黒鍵カバーに対して相補的なキャビティを有する上型を準備する金型準備工程と、重りを、台座の上にこれに沿ってセットする重りセット工程と、台座および重りをキャビティに収容するように、上型を下型に重ね合わせるとともに、キャビティに供給された合成樹脂によって、黒鍵カバーを重りとともにインサート成形する黒鍵カバー成形工程と、を備えていることを特徴とする。
【００１２】
この構成によれば、まず、重りを準備する（重り準備工程）とともに、下型および上型を準備する（金型準備工程）。重りとして、所定の幅を有する棒状のものを準備する。また、下型として、水平なベース上に、重りの幅よりも小さな幅を有する台座を一体に設けたものを準備する。一方、上型として、下方に開放し、成形すべき黒鍵カバーに対して相補的なキャビティを有するものを準備する。次いで、重りを台座の上にこれに沿ってセットする（重りセット工程）。そして、台座および重りをキャビティに収容するように、上型と下型を重ね合わせるとともに、キャビティに供給された合成樹脂によって、黒鍵カバーを重りとともにインサート成形する（黒鍵カバー成形工程）。このようなインサート成形により、キャビティ内の合成樹脂が、下型の台座および重りの周囲に充填され、凝固する。
【００１３】
上記のように、下型の台座の幅は、重りのそれよりも小さいため、キャビティ内の溶融した合成樹脂は、重りの下方に回り込み、その回り込んだ合成樹脂によって、重りを下方から係止する下壁が形成される。これにより、前述した請求項１と同様の黒鍵カバー本体および重りを有する黒鍵カバー、すなわち黒鍵カバー本体が重りを収容し、それを下壁で下方から係止する黒鍵カバーが成形される。また、上記のインサート成形により、黒鍵カバー本体が重りに融着し、それにより、両者が一体でかつ重りを内部に安定して保持する黒鍵カバーを容易に製造することができる。
【００１４】
請求項４に係る発明は、棒状の重りを準備する重り準備工程と、水平なベースと、このベース上に設けられ、ベースに沿うようにセットされたときの重りとベースとの間にスペースを画成するための台座とを一体に有する下型、および、下方に開放し、成形すべき黒鍵カバーに対して相補的なキャビティを有する上型を準備する金型準備工程と、重りを、ベースに沿うように、台座の上にセットする重りセット工程と、台座および重りをキャビティに収容するように、上型を下型に重ね合わせるとともに、キャビティに供給された合成樹脂によって、黒鍵カバーを前記重りとともにインサート成形する黒鍵カバー成形工程と、を備えていることを特徴とする。
【００１５】
この構成によれば、前述した請求項３と同様に、まず、棒状の重りを準備する（重り準備工程）とともに、下型および上型を準備する（金型準備工程）。下型として、水平なベース上に、ベースに沿うようにセットされたときの重りとベースとの間にスペースを画成するための台座を一体に設けたものを準備する。次いで、重りを、ベースに沿うように、台座の上にセットする（重りセット工程）。その後、請求項３と同様の黒鍵カバー成形工程により、黒鍵カバーを重りとともにインサート成形し、それにより、キャビティ内の合成樹脂が、下型の台座および重りの周囲に充填され、凝固する。
【００１６】
上記のように、台座にセットされた重りとベースの間には、スペースが画成されるため、キャビティ内の溶融した合成樹脂は、重りの下方に回り込み、上記スペースに充填される。そして、その充填された合成樹脂によって、重りを下方から係止する下壁が形成される。また、重りがセットされる台座のサイズをできる限り小さくすることにより、スペースが増大し、それに伴い、黒鍵カバーの下壁のサイズも大きくなる。そのため、黒鍵カバーを、その下壁を接着させることで鍵本体に取り付けた場合には、鍵本体との接着面積が大きいことによって、接着強度が高まり、黒鍵カバーを鍵本体にしっかりと取り付けることができる。
【００１７】
請求項５に係る発明は、請求項３または４に記載の鍵盤楽器の黒鍵カバーの製造方法において、黒鍵カバー成形工程は、黒鍵カバー本体の原料としての粉状の合成樹脂を、ベース上の台座および台座にセットされた重りを覆うように供給する原料供給工程と、台座および重りをキャビティに収容するように、上型を下型に重ね合わせ、キャビティ内の合成樹脂を加圧および加熱することによって、黒鍵カバーを成形する加圧・加熱工程と、を有していることを特徴とする。
【００１８】
この構成によれば、黒鍵カバー成形工程において、黒鍵カバー本体の原料としての粉状の合成樹脂を、ベース上の台座および重りを覆うように供給する（原料供給工程）。そして、台座および重りをキャビティに収容するように、上型を下型に重ね合わせ、キャビティ内の合成樹脂を加圧および加熱する（加圧・加熱工程）。この加圧・加熱工程により、キャビティ内の合成樹脂は、溶融するとともに比較的高い圧力を有する状態で、下型の台座および重りの周囲に充填され、凝固し、それにより、重りを内蔵する黒鍵カバーが成形される。以上のように、合成樹脂を供給してから、上型を下型に重ね合わせることによって、黒鍵カバーを成形するので、あらかじめ上型と下型を重ね合わせ、密閉されたキャビティ内に合成樹脂を供給する成形方法、例えば射出成形などに比べて、黒鍵カバーを容易に成形することができる。
【００１９】
請求項６に係る発明は、請求項３ないし５のいずれかに記載の鍵盤楽器の黒鍵カバーの製造方法において、台座は、セットされる重りに係合し、重りを所定位置に位置決めする位置決め部を有することを特徴とする。
【００２０】
この構成によれば、重りが台座にセットされる際に、その重りが位置決め部に係合することによって、所定位置に位置決めされるので、内部の適正な位置に重りを保持する黒鍵カバーを容易に得ることができる。
【００２１】
請求項７に係る発明は、請求項６に記載の鍵盤楽器の黒鍵カバーの製造方法において、重りの下面には、凸部および凹部の一方から成る係合部が設けられ、位置決め部は、係合部に係合する凸部および凹部の他方で構成されていることを特徴とする。
【００２２】
この構成によれば、重りを台座にセットする重りセット工程において、凸部および凹部の一方から成る重りの係合部を、凸部および凹部の他方で構成された台座の位置決め部に係合させるだけで、重りを台座上に容易にセットすることができる。
【００２３】
請求項８に係る発明は、請求項３ないし７のいずれかに記載の鍵盤楽器の黒鍵カバーの製造方法において、台座は、磁石で構成され、重りは、台座に吸着される磁性材料で構成されていることを特徴とする。
【００２４】
この構成によれば、台座が磁石で構成されるとともに、重りが台座に吸着される磁性材料で構成されているので、台座にセットされた重りは、台座に吸着する。それにより、黒鍵カバーの成形時に、重りの下方に回り込んだ合成樹脂の圧力で重りが浮き上がるのを防止することができる。これにより、台座の幅や台座自体をより小さくすることが可能となり、それにより、重りの下方に回り込んだ合成樹脂によって形成される、黒鍵カバー本体の下壁がより大きくなる。その結果、その下壁の下面の面積がより大きくなることで、鍵本体との接着面積を増大でき、黒鍵カバーを鍵本体によりしっかりと取り付けることができる。
【発明を実施するための最良の形態】
【００２５】
以下、本発明の一実施形態を、図面を参照しながら説明する。図１は、本発明を適用したグランドピアノの黒鍵を示している。同図に示すように、この黒鍵１は、鍵本体２と、これに重さを付与する重り３（図２参照）を内蔵する黒鍵カバー４などを備えている。
【００２６】
鍵本体２は、スプルスなどの比較的軽量で、粘り強く、弾力性に富む木質材から成り、矩形の断面を有し、前後方向に延びている。鍵本体２の上面中央部には、中座板５が接着され、これらを上下方向に貫通するようにバランスピン孔６が形成されている。そして、このバランスピン孔６が、立設するバランスピン（図示せず）に係合することによって、黒鍵１が揺動自在に支持されている。また、鍵本体２の上面のバランスピン孔６よりも後ろ側の位置には、キャプスタン座板７を介して、キャプスタンスクリュー８が取り付けられており、このキャプスタンスクリュー８上にアクション（図示せず）が載置される。以上の構成により、黒鍵１の前部を押鍵したときに、黒鍵１がバランスピンを中心として揺動し、これに伴い、アクションはキャプスタンスクリュー８で突き上げられることにより作動する。
【００２７】
図２に示すように、黒鍵カバー４は、黒鍵カバー本体１１と、その内部に収容された前記重り３とで構成されている。黒鍵カバー本体１１は、フェノール樹脂などの合成樹脂で構成され、前後方向に延びるとともに下方に開放する中空状に形成されている。また、黒鍵カバー本体１１は、左右の側壁１１ａ、１１ａの下部から内方に突出し、互いに対向する左右一対の下壁１２、１２（壁部）を有している。図２（ｄ）に示すように、両下壁１２、１２の互いに対向する対向面１２ａ、１２ａは、上方の重り３に向かって互いに接近するテーパ状に形成されている。
【００２８】
一方、重り３は、比較的比重の大きい金属（例えば鉄、タングステン、ステンレス）などで構成され、断面矩形の棒状に形成されている。より具体的には、重り３は、黒鍵カバー本体１１の長さ方向の寸法よりも短い長さを有するとともに、黒鍵カバー本体１１の左右の下壁１２、１２間の寸法よりも長い幅を有している。したがって、図２（ｂ）および（ｄ）に示すように、重り３は、左右の下壁１２、１２によって、下方から係止されている。
【００２９】
以上のように構成された黒鍵カバー４は、後述するインサート成形により、黒鍵カバー本体１１と重り３が一体に成形されている。そして、この黒鍵カバー４は、その下面が、鍵本体２の上面の前部にこれを覆うように接着されている。
【００３０】
以上のように、この黒鍵１によれば、黒鍵カバー本体１１が、左右の側壁１１ａ、１１ａの下部から内方に突出する下壁１２、１２を有しており、これらの下壁１２、１２によって、重り３が下方から係止されている。これにより、重り３は、安定して保持され、押鍵時に、黒鍵カバー本体１１内でがたつくことがない。また、黒鍵カバー本体１１の両下壁１２、１２は、内方に突出することで、その下面の面積が比較的大きく、鍵本体２との接着面積が大きくなる。加えて、黒鍵カバー本体１１内の重り３が、下壁１２、１２よりも上側に位置するので、下壁１２、１２の下面を平滑にするための切削を確保することができる。以上により、黒鍵カバー本体１１を鍵本体２に良好に接着でき、しっかりと取り付けることができる。さらに、黒鍵カバー本体１１内に重り３を収容する黒鍵カバー４は、後述するインサート成形によって、黒鍵カバー本体１１と重り３を一体に成形することが可能であり、それにより、黒鍵カバー本体１１と重り３を別個に作製し、重りを黒鍵カバー本体内にはめ込み、接着する工程が必要な従来に比べて、安価に製造することができる。
【００３１】
次に、黒鍵カバー４の製造方法について説明する。この黒鍵カバー４は、インサート成形により、重り３を内蔵するように成形される。なお、以下の説明ではまず、インサート成形に使用する金型について説明し、その後で、黒鍵カバー４の成形工程について説明するものとする。
【００３２】
図３は、このインサート成形に用いられる金型の下型２１の一部を示しており、図４（ａ）は、下型２１の台座２３の周囲を平面的に示している。両図に示すように、下型２１は、水平なベース２２と、このベース２２上に互いに間隔を隔てて配置され、ベース２２と一体の複数（例えば８つ、図３では２つのみ図示）の台座２３を備えている。
【００３３】
各台座２３は、黒鍵カバー４の成形時に、重り３を載置した状態にセットするためのものである。台座２３は、所定の高さ寸法を有するとともに、ベース２２上にこれに沿って延びており、前記重り３よりも長くかつ黒鍵カバー本体１１よりも短くなっている。また、台座２３の両端部２４、２４は、その幅が、両端部２４、２４の間の中間部２５のそれよりも大きくなっている。各端部２４には、セットされる重り３に係合し、これを位置決めするための係合凹部２４ａ（位置決め部）が設けられている。この係合凹部２４ａは、上方に突出するとともに、平面形状が内方に開放するコ字状に形成されている。また、台座２３の中間部２５は、幅が重り３のそれよりも小さく、両側面が上方に向かって互いに接近するテーパ状に形成されている。これにより、黒鍵カバー４の成形時に、黒鍵カバー４を下型２１から取り外す際に、黒鍵カバー４を容易に取り外すことができる。
【００３４】
図５は、黒鍵カバー４を成形する際に、重り３を台座２３にセットした状態を示している。同図に示すように、重り３は、台座２３に沿って載置され、両端部が台座２３の係合凹部２４ａ、２４ａにぴったりとはまるように係合する。これにより、重り２３は、成形される黒鍵カバー４内の所定位置に位置決めされる。また、上記下型２１と重ね合わされる上型２６（図６（ｄ）参照）は、下型２１の複数の台座２３に対応する複数のキャビティ２７（図６（ｄ）では１つのみ図示）を有している。各キャビティ２７は、下方に開放し、成形すべき黒鍵カバー４に対して相補的な形状を有しており、具体的には、断面台形に形成されている。この上型２６を下型に重ね合わせたときには、図５に二点鎖線で示すように、台座２３およびそれにセットされた重り３が、キャビティ２７内に収容される。
【００３５】
次に、図６を参照しながら、黒鍵カバー４の成形工程を順に説明する。まず、上述した重り３と下型２１および上型２６の金型とを準備する（重り準備工程および金型準備工程、同図（ａ）では下型２１のみ図示）。次いで、同図（ｂ）に示すように、下型２１の各台座２３に重り３をセットする（重りセット工程）。次いで、同図（ｃ）に示すように、所定の粉状の原料Ｇを、台座２３および重り３を覆うように、ベース２２上に供給する（原料供給工程）。この原料Ｇは、黒鍵カバー本体１１の構成材料であり、例えばフェノール樹脂などの合成樹脂である。そして、上型２６を下型２１に重ね合わせることにより、同図（ｄ）に示すように、台座２３、重り３およびそれらの周囲の原料Ｇをキャビティ２７内に収容し、それに前後して、上型２６および下型２１を、所定時間（例えば３分）および所定温度（例えば１５０℃）で加熱する（加圧・加熱工程）。
【００３６】
以上により、上型２６および下型２１で密閉されたキャビティ２７内の原料Ｇは、溶融するとともに比較的高い圧力を有する状態で、下型２１の台座２３および重り３の周囲に充填される。その後、キャビティ２７内の原料Ｇが、凝固した後、上型２６と下型２１を分離し、成形された黒鍵カバー４を下型２１から取り外す（同図（ｅ）参照）。
【００３７】
以上のように、この黒鍵カバー４の製造方法によれば、台座２３の中間部２５の幅が、重り３のそれよりも小さいため、キャビティ２７内の溶融した原料Ｇが重り３の下方に回り込み、それによって、重り３を下方から係止する下壁１２、１２が形成される。これにより、前記図２に示す黒鍵カバー４と同様のもの、すなわち黒鍵カバー本体１１が重り３を収容し、それを下壁１２、１２で下方から係止する黒鍵カバー４が成形される。また、この成形時に、台座２３にセットされる重り３は、係合凹部２４ａ、２４ａに係合することで位置決めされるので、その重り３を内部の適正な位置に保持する黒鍵カバー４を得ることができる。さらに、上記のインサート成形により、黒鍵カバー本体１１が重り３に融着し、それにより、黒鍵カバー本体１１と重り３が一体でかつ重り３を内部に安定して保持する黒鍵カバー４を容易に製造することができる。
【００３８】
また、原料Ｇを下型２１に供給してから、上型２６を下型２１に重ね合わせることによって、黒鍵カバー４を成形するので、あらかじめ上型と下型を重ね合わせ、密閉されたキャビティ内に原料を供給する成形方法、例えば射出成形などに比べて、黒鍵カバー４を容易に成形することができる。
【００３９】
図７は、下型２１の台座２３の変形例を示している。同図（ａ）では、台座２３の各端部２４上に、前述した係合凹部２４ａに代えて、３つの係合ピン２４ｂ（位置決め部）がそれぞれ所定位置に立設されている。そして、黒鍵カバー４の成形時に、重り３が、これらの係合ピン２４ｂの内側に係合するように、台座２３にセットされることにより、係合凹部２４ａを有する台座２３を用いた場合と同様、重り３を内部の適正な位置に保持する黒鍵カバー４を得ることができる。
【００４０】
一方、図７（ｂ）では、台座２３の両端部２４、２４において、中間部２５寄りの位置にそれぞれ、係合ピン２４ｃ、２４ｃ（位置決め部、凸部）が立設されている。また、重り３には、それらの係合ピン２４ｃ、２４ｃに対応する２つの係合穴３ａ、３ａ（係合部、凹部）が、下面の所定位置に開口するように形成されている。そして、黒鍵カバー４の成形時に、両係合ピン２４ｃ、２４ｃが重り３の係合穴３ａ、３ａに挿入するように、重り３が台座２３にセットされることにより、上記と同様、重り３を内部の適正な位置に保持する黒鍵カバー４を得ることができる。
【００４１】
また、台座２３を磁石で構成するとともに、重り３を台座２３に吸着される磁性材料（例えば鉄など）で構成することが好ましい。この場合、黒鍵カバー４の成形時に、重り３の下方に回り込んだ原料Ｇの圧力で重り３が浮き上がるのを防止することができる。これにより、台座２３の中間部２５の幅をより小さくすることが可能となり、それにより、重り３の下方に回り込んだ原料Ｇによって形成される、黒鍵カバー本体１１の下壁１２、１２が、より大きくなる。その結果、下壁１２、１２の下面の面積がより大きくなることで、鍵本体２との接着面積を増大でき、黒鍵カバー４を鍵本体２によりしっかりと取り付けることができる。
【００４２】
図８は、下型２１の台座の他の変形例を示している。同図に示すように、この台座２８は、上述した台座２３と異なり、互いに所定間隔を隔てて配置された２つの台座部２９、２９を一組として構成されている。各台座部２９は、前記台座２３と同じ高さ寸法を有するとともに、平面形状が所定の径を有する円形に形成され、上面の中心部に係合ピン２９ａ（位置決め部、凸部）が立設されている。また、重り３の下面には、前述した図７（ｂ）と同様に、両台座部２９、２９の係合ピン２９ａ、２９ａに対応する２つの係合穴３ａ、３ａ（係合部、凹部）が形成されている。そして、黒鍵カバー４の成形時に、両係合ピン２９ａ、２９ａが重り３の係合穴３ａ、３ａに挿入するように、重り３が台座２８にセットされる。
【００４３】
図９（ａ）および（ｂ）は、上記台座２８を有する下型２１を用いて黒鍵カバー４を成形する場合において、前述した黒鍵カバー４の成形工程を示す図６の（ｄ）および（ｅ）にそれぞれ対応するものである。図９（ａ）に示すように、重り３が台座２８にセットされたときには、重り３の下面とベース２２の上面との間に、比較的大きなスペースＳが画成される。そして、黒鍵カバー４の成形時における加圧・加熱工程により、キャビティ２７内で溶融した原料Ｇは、重り３の下方に回り込み、スペースＳに充填される。これにより、図９（ｂ）に示すように、成形された黒鍵カバー４では、両台座部２９、２９が有った部分を除く下面全体に、下壁１２が形成される。
【００４４】
以上のように、台座２８を有する下型２１を用いて黒鍵カバー４を成形することにより、前述した台座２３を用いた場合に比べて（図２（ｂ）参照）、下面の面積が非常に大きい黒鍵カバー４を得ることができる。それにより、鍵本体２との接着面積が大きくなるので、接着強度が高まり、黒鍵カバー４を鍵本体２により一層しっかりと取り付けることができる。
【００４５】
なお、本発明は、説明した実施形態に限定されることなく、種々の態様で実施することができる。例えば、左右一対の下壁１２、１２を有する黒鍵カバー４では、両下壁１２、１２が、左右の側壁１１ａ、１１ａからそれぞれ内方に突出するように形成したが、重り３を係止可能であれば、左右の側壁１１ａ、１１ａの一方のみから突出するように形成してもよい。
【００４６】
また、黒鍵カバー４の上述したインサート成形では、原料Ｇを下型２１に供給した後、上型２６を下型２１に重ね合わせたが、重り３を内蔵する黒鍵カバー４が得られるのであれば、その他の成形方法を採用してもよい。例えば、下型２１および上型２６の一方に、溶融した原料Ｇをキャビティ２７内に流入させるためのゲートを設け、射出成形などによって、黒鍵カバー４を成形することも可能である。また、図７（ｂ）および図８では、重り３に係合穴３ａ、３ａを設ける一方、台座２３、２８に係合ピン２４ｃ、２９ａを設けたが、これらの凹凸関係を逆にすることも可能である。さらに、図８の台座２８では、２つの台座部２９、２９を有するものを用いたが、これらの台座部２９の数は限定されるものではなく、１個または３個以上であってもよい。ただし、台座部２９を１個にする場合には、それにセットされた重り３が係合ピン２９ａを中心に回らないようにするために、重り３の係合穴３ａおよび台座部２９の係合ピン２９ａの断面形状を、円形以外の形状にすることが好ましい。
【００４７】
また、実施形態で示した黒鍵１、黒鍵カバー４、黒鍵カバー本体１１および重り３の細部の構成や、黒鍵カバー成形時の各工程などは、あくまで例示であり、本発明の趣旨の範囲内で適宜、変更することができる。
【図面の簡単な説明】
【００４８】
【図１】本発明の一実施形態によるグランドピアノの黒鍵を示す斜視図である。
【図２】重りを内蔵する黒鍵カバーを示す図であり、（ａ）側面図、（ｂ）底面図、（ｃ）ｃ−ｃ線に沿う断面図、（ｄ）ｄ−ｄ線に沿う断面図である。
【図３】下型の一部を示す斜視図である。
【図４】下型の台座の周囲を示す図であり、（ａ）平面図、（ｂ）ｂ−ｂ線に沿う断面図である。
【図５】重りがセットされた下型の台座の周囲を示す図であり、（ａ）平面図、（ｂ）ｂ−ｂ線に沿う断面図である。
【図６】黒鍵カバーの成形工程を順に説明するための説明図である。
【図７】下型の台座の変形例を示す斜視図である。
【図８】下型の台座の他の変形例を示す斜視図である。
【図９】図８の台座を用いたときの黒鍵カバーの成形工程を説明するための説明図である。
【符号の説明】
【００４９】
１    黒鍵
２    鍵本体
３    重り
３ａ  係合穴（係合部、凹部）
４    黒鍵カバー
１１    黒鍵カバー本体
１１ａ  側壁
１２    下壁（壁部）
１２ａ  対向面
２１    下型
２２    ベース
２３    台座
２４ａ  係合凹部（位置決め部）
２４ｂ  係合ピン（位置決め部）
２４ｃ  係合ピン（位置決め部、凸部）
２５    台座の中間部
２６    上型
２７    キャビティ
２８    台座
２９    台座部
２９ａ  係合ピン（位置決め部、凸部）
Ｇ    原料
【図１】
2008268654.tif 000003
【図２】
2008268654.tif 000004
【図３】
2008268654.tif 000005
【図４】
2008268654.tif 000006
【図５】
2008268654.tif 000007
【図６】
2008268654.tif 000008
【図７】
2008268654.tif 000009
【図８】
2008268654.tif 000010
【図９】
2008268654.tif 000011